(57)【特許請求の範囲】
【請求項１】
樹脂またはガラスで形成し容量が２２０ｃｃ以下の容器本体の口部外周にバルブ機構を被覆固定する容器カバーを配置し、この容器カバーの外周に、複数の凹凸を設けて係止部を形成し、この係止部と回転不能に係合する係止受部を内周枠に設けるとともに容器本体の肩部に臨ませて配置しアクチュエーターを接続するための外周枠を内周枠の外周に形成した肩カバーを、容器カバーの外周に内周枠を介して嵌合固定し、肩カバーの中央部に、容器カバーから突出するステムを挿通可能な開口部を設けるとともに、肩カバーの外周枠上端の挿入部に、アクチュエーターの下端に設けた挿入部を挿入するとともに肩カバーの外周枠に設けたクランク状の係合溝に、アクチュエーターの下端外周に突出した係合突起を係合し、係合溝のクランクに沿って、接続部を軸方向に摺動した後、円周方向に摺動する事により、ステムと連通しエアゾール内容物を使用目的部に噴出可能なアクチュエーターを、肩カバーに着脱可能に接続した事を特徴とする樹脂またはガラスで形成したエアゾール容器。
【発明の詳細な説明】
【０００１】
【産業上の利用分野】
本発明は、頭髪用品、化粧品、消臭剤、制汗剤、その他の人体用品、又は殺虫剤、コーテング剤、クリーナー、その他の家庭用品、又は工業用品、自動車用品、その他のエアゾール内容物を充填して噴出するための、比較的小型のエアゾール容器に接続する容器カバー、及びこの容器カバーに接続する肩カバーの構造に係るものである。
【０００２】
【従来の技術】
従来、染毛剤、脱色剤等を収納し、容量が２２０ｃｃ以下で比較的小型の容器本体に、クシ歯や刷毛等の塗布手段を設けたアクチュエーターを接続し、このアクチュエーターからエアゾール内容物を噴射する事により、エアゾール内容物を頭髪等の使用目的部に塗布するものが存在する。
【０００３】
この従来品は、図１０に示す如く、比較的小型の容器本体(１)の口部外周に、バルブ機構を設置した容器カバー(２)を配置するとともに、容器本体(１)の外周に、肩カバー(３)を嵌合固定している。この肩カバー(３)は、内周枠(４)と外周枠(５)とで構成し、内周枠(４)は、容器カバー(２)の下端外周に嵌合する環状の係合突条(６)を内周に設けている。また、容器本体(１)の肩部の一部を上下方向に肉厚に突出形成して、複数の係止部(７)を設け、この係止部(７)に係合する係止受部(８)を、外周枠(５)の内面に、上下方向に形成している。この係止受部(８)と係止部(７)とを係合する事により、容器本体(１)と肩カバー(３)とを回転不能に係合している。
【０００４】
また、肩カバー(３)の上端には、クシ歯、刷毛、スポンジ、フェルト、噴射ノズル等の塗布手段を設けたアクチュエーター(１０)を着脱可能に接続している。このアクチュエーター(１０)は、容器本体(１)のステム(１１)と連通可能とし、容器本体(１)内部のエアゾール内容物を、ステム(１１)を介してアクチュエーター(１０)から外部に噴出し、頭髪等の使用目的部に塗布可能としている。
【０００５】
そして、アクチュエーター(１０)の着脱を行ったり、アクチュエーター(１０)を使用目的物に強く接触させたりしても、肩カバー(３)が円周方向に回転したり、ぐらついたりする事がなく、アクチュエーター(１０)の着脱やエアゾール内容物の塗布作業を良好に行う事を可能としている。
【０００６】
【発明が解決しようとする課題】
しかしながら、上述の如く容器本体(１)の係止部(７)を凹凸により形成し、肉厚を不均一なものとしているため、容器本体(１)の耐圧性が低下し、容器本体(１)の破裂を生じる危険性を有していた。更に、容器本体(１)の係止部(７)と肩カバー(３)の係止受部(８)とを強固に係合すると、容器本体(１)に強い負荷を与え、その破損につながる虞れがあった。また、容器本体(１)は、樹脂やガラス等を型枠に吹き付けて成形するものであるため、一部だけ肉厚を変えて成形する事は、技術や手間を要するものであった。
【０００７】
本発明は上述の如き課題を解決しようとするものであって、エアゾール容器に於いて、容器本体と肩カバーとの回転防止機能を、容器本体に設けるのではなく、成形が容易で耐久性に優れた容器カバーに設けるものである。その結果、容器本体の耐圧性を損なう事のない、安全性に優れた製品を得ようとするものである。そして、成形が容易な容器カバーに回転防止機能を設ける事により、製造の手間を省き、簡易な技術での製造を可能とするものである。
【０００８】
【課題を解決するための手段】
本発明は、上述の如き課題を解決するため、樹脂またはガラスで形成し容量が２２０ｃｃ以下の容器本体の口部外周にバルブ機構を被覆固定する容器カバーを配置し、この容器カバーの外周に、複数の凹凸を設けて係止部を形成し、この係止部と回転不能に係合する係止受部を内周枠に設けるとともに容器本体の肩部に臨ませて配置しアクチュエーターを接続するための外周枠を内周枠の外周に形成した肩カバーを、容器カバーの外周に内周枠を介して嵌合固定し、肩カバーの中央部に、容器カバーから突出するステムを挿通可能な開口部を設けるとともに、肩カバーの外周枠上端の挿入部に、アクチュエーターの下端に設けた挿入部を挿入するとともに肩カバーの外周枠に設けたクランク状の係合溝に、アクチュエーターの下端外周に突出した係合突起を係合し、係合溝のクランクに沿って、接続部を軸方向に摺動した後、円周方向に摺動する事により、ステムと連通しエアゾール内容物を使用目的部に噴出可能なアクチュエーターを、肩カバーに着脱可能に接続して成るものである。
【０００９】
【作用】
本発明は、上述の如く構成したものであるから、エアゾール容器からエアゾール内容物を噴射して目的の作業を行うには、容器本体に接続する肩カバーの上端に、螺着や凹凸溝の係合等の手段により、目的のアクチュエーターを接続する。このアクチュエーターは、使用目的に応じて、ブラシ、刷毛、スポンジ・フェルト等の含浸体、噴射ノズル等を設けて形成する。また、肩カバーとアクチュエーターとの接続に於いて、容器カバーと肩カバーは、係止部と係止受部との係合により、回転不能に嵌合固定しているので、肩カバーが回転したり、ぐらついたりせず、確実な接続が可能となる。
【００１０】
そして、アクチュエーターを操作して、ステムを容器本体方向に押圧し、バルブ機構を開弁する事により、エアゾール内容物がアクチュエーターから噴射され、目的の塗布作業を行う事ができる。
【００１１】
また、係止部は容器本体に設けたものではないから、容器本体には従来の如きの凹凸が形成されないので、肉厚を均一に形成でき、容器本体の耐圧性を良好なものとして、破裂等の危険性を防止する事ができる。また、容器カバーは、容器本体とは別個に形成したから、成形が容易で耐久性に優れるとともに、この優れた回転防止機能を、エアゾール容器に容易に設ける事が可能となる。
【００１２】
そして、上記の如き肩カバーと容器カバーによる回転防止機能は、アクチュエーターを着脱して使用する、容量が２２０ｃｃ以下の比較的小型のエアゾール容器に用いるのが効果的である。そして、このエアゾール容器は、エアゾール内容物として、頭髪用品、化粧品、消臭剤、制汗剤、その他の人体用品、又は殺虫剤、コーテング剤、クリーナー、その他の家庭用品、又は工業用品、自動車用品、その他に用いる事ができる。
【００１３】
そして、頭髪用品では、ヘアセットスプレー、ヘアドレッサーコンディショナー、ヘアシャンプー、ヘアリンス、酸性染毛剤、２剤型永久染毛剤、カラースプレー、脱色剤、パーマ剤、育毛トニック等に用いる事ができる。また、化粧品では、シェービングクリーム、アフターシェーブローション、香水、オーデコロン、洗顔料、日焼け止め、ファンデーション、脱毛剤、脱色剤、浴用剤、歯磨き等に用いる事ができる。また、消臭剤、制汗剤、ボディシャンプー等に用いる事ができる。また、その他の人体用品では、筋肉消炎剤、皮膚疾患剤、水虫薬、その他の医薬品、害虫忌避剤、冷却剤、清拭剤、口腔剤等に用いる事ができる。
【００１４】
また、殺虫剤では、空間用殺虫剤、ゴキブリ用殺虫剤、園芸用殺虫剤、殺ダニ剤、不快害虫剤等に用いる事ができる。また、コーテング剤では、家庭用塗料、自動車用塗料、アンダーコーテング剤等に用いる事ができる。また、クリーナーでは、家庭用ガラスクリーナー、レンズクリーナー、絨毯クリーナー、浴用クリーナー、床・家具艶出しクリーナー、靴・皮革クリーナー、ワックス艶出し剤等に用いる事ができる。また、その他の家庭用品では、室内用消臭剤、トイレ用消臭剤、防水剤、洗濯糊、除草剤、衣類用防虫剤、防炎剤、消火具等に用いる事ができる。
【００１５】
また、工業用品では、潤滑防錆剤、接着剤、金属探傷剤、離型剤等に用いる事ができる。また、自動車用品では、防曇剤、解氷剤、エンジン始動液、パンク修理剤、エンジンクリーナー等に用いる事ができる。また、その他では、動物用品、趣味娯楽用品、食品等に用いる事ができる。
【００１６】
【実施例】
以下、本発明の一実施例を図面に於て説明すれば、(２１)は容器本体で、樹脂またはガラスで形成している。この容器本体(２１)は、容量が２２０ｃｃ以下の比較的小型のものを使用し、内部には、エアゾール内容物として、染毛剤を充填している。そして、容器本体(２１)の口部(２２)の外周に、図１、図３に示す如く、金属製の容器カバー(２３)を固定する事により、容器本体(２１)内のバルブ機構(２４)を被覆固定している。そして、図２、図３に示す如く、容器本体(２１)と、容器カバー(２３)に嵌合固定する肩カバー(２５)と、この肩カバー(２５)の上端に着脱可能に接続するアクチュエーター(２６)により、エアゾール容器(２７)を構成している。
【００１７】
そして、容器カバー(２３)は、図１に示す如く、下端を環状に凹設して係合段部(２８)を設け、この係合段部(２８)を容器本体(２１)の口部(２２)外周に固定している。また、容器カバー(２３)は、外周を上下方向に凹設する事により形成した係止部(３０)を、円周状に１５度の間隔を介して配列している。
【００１８】
一方、肩カバー(２５)は、図１に示す如く、容器カバー(２３)に嵌合固定する内周枠(３１)と、容器本体(２１)の肩部(３２)に臨ませて配置するとともにアクチュエーター(２６)を接続するための、外周枠(３４)とを有している。また、肩カバー(２５)の中央には、容器カバー(２３)から突出するバルブ機構(２４)のステム(３５)を挿通可能な開口部(３６)を設けている。そして、容器カバー(２３)に凹設した係止部(３０)に対応して、内周枠(３１)の内周を、上下方向に突設する事により、係止受部(３７)を形成している。この係止受部(３７)に、係止部(３０)を係合する事により、肩カバー(２５)と容器カバー(２３)とを回転不能に接続し、肩カバー(２５)の回転防止機能を構成している。
【００１９】
また、肩カバー(２５)は、図１に示す如く、内周枠(３１)の内周に、軸方向に垂直な環状の係合突条(３８)を突設し、この係合突条(３８)を、図４、図５に示す如く、容器カバー(２３)の係合段部(２８)に嵌合する事により、肩カバー(２５)を脱落不能に容器カバー(２３)に固定している。この係合段部(２８)と係合突条(３８)の係合、及び係止部(３０)と係止受部(３７)との係合により、肩カバー(２５)は、上下方向にも進退不能に固定されるものとなる。
【００２０】
更に、開口部(３６)には、環状鍔(４０)を内方に突出形成する事により、容器本体(２１)方向への肩カバー(２５)の摺動を防止している。また、外周枠(３４)は、上方を二重の筒状に形成する事により、筒の間にアクチュエーター(２６)の挿入部(４１)を設けるとともに、図２に示す如く、外側の筒にクランク状の係合溝(４２)を設けている。このように、容器カバー(２３)に肩カバー(２５)を嵌合する事により、図１に示す如く、容器カバー(２３)から突出するステム(３５)が、肩カバー(２５)の外周枠(３４)内に配置される。
【００２１】
また、肩カバー(２５)に接続するアクチュエーター(２６)は、図２、図３、図６に示す如く、内部にエアゾール内容物の噴出路(４３)を設け、この噴出路(４３)の下端には、ステム(３５)を接続して、このステム(３５)を容器本体(２１)方向に押圧可能としている。更に、噴出路(４３)の側面には、染毛料を頭髪に塗布するための複数のクシ歯(４５)を設けたブラシ本体(４６)を設けるとともに、噴出路(４３)の下端外周には、肩カバー(２５)に接続するための、筒状の接続部(４７)を設けている
【００２２】
また、噴出路(４３)には、この噴出路(４３)と連通する複数の噴射路(４８)を、ブラシ本体(４６)方向に突出形成し、その噴射口(５０)をブラシ本体(４６)の表面側に開口している。尚、複数の噴射路(４８)は、ブラシ本体(４６)の表面に於いて、上下方向に一列に配置している。そして、各々の噴射口(５０)に臨ませて、ブラシ本体(４６)の表面には、図６に示す如く、Ｕ字型で両側からエアゾール内容物が流出できる邪魔板(４４)を設ける事により、噴射口(５０)から噴射されたエアゾール内容物が、ブラシ本体(４６)外へ飛散する事を防止し、ブラシ本体(４６)のクシ歯(４５)間に広く拡散する事を可能としている。
【００２３】
また、接続部(４７)の外周には、一対の係合突起(５１)を外方に突出し、図２に示す如く、肩カバー(２５)のクランク状の係合溝(４２)に係合して、この係合溝(４２)内をクランク状に摺動可能としている。また、接続部(４７)は、上面を手指で押圧可能に形成して、アクチュエーター(２６)を容器本体(２１)方向に押圧するための押圧部(５２)としている。
【００２４】
また、アクチュエーター(２６)を肩カバー(２５)に接続したままであると、エアゾール容器(２７)が長尺となり、商品の陳列棚への収納効率や見栄えを悪くしたり、製品の運搬時や購入時に持ち運び辛くなる事がある。そのため、製造・販売時は、アクチュエーター(２６)を取り外して、コンパクトに収納している。その際、肩カバー(２５)の開口部(３６)を蓋体(図示せず)で被覆しておけば、ステム(３５)を保護して染毛剤の誤噴射を防止する事ができる。
【００２５】
上述の如く形成したエアゾール容器(２７)を使用するために、肩カバー(２５)にアクチュエーター(２６)を接続する。それには、肩カバー(２５)の挿入部(４１)に、アクチュエーター(２６)の接続部(４７)を挿入するとともに、肩カバー(２５)の外周枠(３４)に設けたクランク状の係合溝(４２)に、アクチュエーター(２６)の係合突起(５１)を係合する。そして、係合溝(４２)のクランクに沿って、接続部(４７)を軸方向に摺動した後、円周方向に摺動する事により、図２、図３に示す如く、肩カバー(２５)にアクチュエーター(２６)を接続できる。この接続作業に於いて、アクチュエーター(２６)を円周方向や上下方向に摺動させても、肩カバー(２５)と容器カバー(２３)との回転防止機能により、各部品がぐらつく事なく確実に接続作業を行う事ができる。また、肩カバー(２５)とアクチュエーター(２６)との接続は、各々に螺溝や凹凸溝を設け、これらを係合する事により行う等、適宜の公知手段で実施する事ができる。
【００２６】
また、この接続により、アクチュエーター(２６)の噴出路(４３)の下端が、肩カバー(２５)の開口部(３６)内に配置するステム(３５)と接続するとともに、このステム(３５)と噴出路(４３)とが連通し、染毛剤を噴射可能となる。
【００２７】
そして、押圧部(５２)を押圧する事により、噴出路(４３)の下端が、ステム(３５)を容器本体(２１)方向に押し下げる。すると、バルブ機構(２４)が開弁し、容器本体(２１)内の染毛剤がステム(３５)を介して噴出路(４３)内に流出する。この染毛剤は、噴出路(４３)内を流動した後、噴出路(４３)から分岐した複数の噴射路(４８)を介して、噴射口(５０)から外部に噴射される。そして、噴射口(５０)から噴射された染毛剤は、噴射口(５０)に臨ませて配置したＵ字型の邪魔板(４４)に突き当たるので、ブラシ本体(４６)のクシ歯(４５)から外部に飛散する事がない。その後、染毛剤は、噴射路(４８)の外周と邪魔板(４４)との隙間から、ブラシ本体(４６)の表面に広く拡散され、クシ歯(４５)に付着する。そして、クシ歯(４５)で頭髪を梳かす事により、頭髪に染毛料を塗布して、染毛作業を行う事ができる。
【００２８】
この染毛作業に於いても、係合溝(４２)と係合突起(５１)との係合により、肩カバー(２５)とアクチュエーター(２６)とが確実に接続しているとともに、係止部(３０)と係止受部(３７)との係合により、肩カバー(２５)と容器カバー(２３)とが回転不能に接続しているので、各部品が回転したりぐらついたりせず、操作性に優れた使用が可能となる。
【００２９】
そして、このような回転防止機能を、容器本体(２１)ではなく、耐久性と形状安定性に優れ、成形が容易な金属製の容器カバー(２３)に設けているので、塗布作業時の衝撃が加わっても、変形や磨耗が起こりにくく、優れた回転防止機能を持続する事が可能となる。また、容器本体(２１)を均一な肉厚で形成できるので、耐圧性を損なうことがなく、破裂等の危険を回避して、安全性にも優れたエアゾール容器(２７)を得るとともに、作業工程や技術を簡略化して、廉価に製品を形成する事が可能となる。
【００３０】
そして、染毛作業が終了したら、再びアクチュエーター(２６)を肩カバー(２５)から取り外して、コンパクトに破棄したり、分別して破棄する事ができる。また、染毛剤が残っている場合は、コンパクトに収納して保存することが可能であるし、次回の染毛作業も、良好に行う事が可能となる。
【００３１】
また、上記実施例では、アクチュエーター(２６)をブラシ状に形成し、染毛用のエアゾール容器(２７)として用いているが、刷毛、スポンジ部材やフェルト部材等の含浸体、その他を接続して形成しても良い。そして、ステム(３５)から噴出するエアゾール内容物をこれらの部材に含ませ、頭髪や車体、その他の目的物に接触させる事により、各種作業を行う事ができる。また、噴射形態の異なる噴射ノズルを設けたアクチュエーター(２６)を各種形成し、これらを使用目的に応じて選択的に肩カバー(２５)に接続して、使用目的部にエアゾール内容物を噴射するように形成しても良い。上記の何れの使用方法に於いても、肩カバー(２５)が回転不能に容器カバー(２３)と嵌合しているので、目的の塗布作業を良好に行う事ができる。
【００３２】
また、上記実施例では、容器カバー(２３)の外周を凹設する事により、係止部(３０)を形成したが、他の異なる第２実施例では、図７乃至図９に示す如く、容器カバー(２３)の外周を、外方に突設する事により、上下方向に係止部(３０)を形成している。そして、この係止部(３０)を円周方向に等間隔で８個、配列している。この突起状の係止部(３０)に対応して、肩カバー(２５)の内周枠(３１)は、内周を上下方向に凹設する事により、係止受部(３７)を形成している。
【００３３】
そして、図８、図９に示す如く、係止受部(３７)と係止部(３０)とを係合する事により、肩カバー(２５)の回転を良好に防止し、回転防止機構を構成している。また、肩カバー(２５)の内周枠(３１)は、図７に示す如く、内周の各係止受部(３７)の間隔に形成される凸部には、係合突条(３８)を円周方向に設けている。そして、図９に示す如く、この係合突条(３８)を容器カバー(２３)の係合段部(２８)に嵌合するとともに、環状鍔(４０)に容器カバー(２３)の上面を突き当て配置する事により、容器カバー(２３)からの肩カバー(２５)の脱落を防止している。
【００３４】
そして、第１実施例と同様に、目的のアクチュエーター(２６)を肩カバー(２５)に接続する事により、エアゾール内容物を噴射し、目的の塗布作業を行う事ができる。このアクチュエーター(２６)の着脱や塗布作業も、容器カバー(２３)と肩カバー(２５)とが回転不能に確実に嵌合しているので、操作性に優れた使用が可能となる。また、容器カバー(２３)は、耐圧性を重視される容器本体(２１)とは別体に形成するものであるから、この容器カバー(２３)の外周に設ける係止部(３０)の形状等に制約が少なく、形成も容易なものとなる。
【００３５】
また、上記実施例では、容量が２００ｃｃのエアゾール容器を使用しているが、本発明の肩カバーの回転防止機能は、容量が２２０ｃｃ以下の比較的小型のエアゾール容器に用いる事ができる。しかし、容量が２２０ｃｃより多い大型のエアゾール容器に用いるのは、容器カバーの成形上、実施が困難で、好ましくないものである。
【００３６】
【発明の効果】
本発明は上述の如く構成したものであるから、容量が２２０ｃｃ以下の比較的小型のエアゾール容器の肩カバーの回転防止機能を、成形が容易で形状安定性と耐久性に優れた容器カバーに設ける事により、機能性に優れた製品を、簡易な製造技術で形成する事が可能となる。また、エアゾール容器の耐圧性を良好に形成する事ができ、製品の安全性を向上させるものとなる。そして、アクチュエーターの着脱や、このアクチュエーターによるエアゾール内容物の噴出作業を行っても、各部品が回転したり、ぐらついたりせず、優れた使用操作性を実現する事が可能となる。
【図面の簡単な説明】
【図１】容器本体と肩カバーとを分離した状態の本発明の第１実施例を示す断面図。
【図２】肩カバーとアクチュエーター部分の正面図。
【図３】図２のＡ−Ａ線断面図。
【図４】肩カバーと容器カバーとの係合状態を示す断面図。
【図５】図４の主要部分の拡大断面図。
【図６】図２のＢ−Ｂ線拡大断面図。
【図７】容器本体と肩カバーとを分離した状態の第２実施例を示す断面図。
【図８】第２実施例の肩カバーと容器カバーとの係合状態を示す断面図。
【図９】図８の主要部分の拡大断面図。
【図１０】容器本体と肩カバーとを分離した状態の従来品のエアゾール容器の断面図。
【符号の説明】
２１  容器本体
２２  口部
２３  容器カバー
２４  バルブ機構
２５  肩カバー
２６  アクチュエーター
３０  係止部
３５  ステム
３６  開口部
３７  係止受部
【図１】
0004185174.tif 000002
【図２】
0004185174.tif 000003
【図３】
0004185174.tif 000004
【図４】
0004185174.tif 000005
【図５】
0004185174.tif 000006
【図６】
0004185174.tif 000007
【図７】
0004185174.tif 000008
【図８】
0004185174.tif 000009
【図９】
0004185174.tif 000010
【図１０】
0004185174.tif 000011